(57)【要約】【課題】食品包装用ラップフィルムで食品等を包装する際に、食品包装用ラップフィルムが逆戻りし難い食品包装用ラップフィルム収納箱を提供する。【解決手段】長手方向に沿った上面を開放端２２とした長尺四角柱状で中空の収納箱本体２０と、収納箱本体２０の前面３２に設けられた凸部であって、略一定の幅を維持しつつ収納箱本体２０の長手方向に走る長尺凸部５と、収納箱本体２０の背壁に接続されて開放端２２を開閉する上蓋２と、上蓋２に接続され、前面３２に対して外側から重ね合わせ状に配置可能な押さえ蓋３と、押さえ蓋３の背面に設けられた凹部であって、長尺凸部５と略同じ長さを有するとともに長尺凸部５に嵌合する長尺凹部４とを備え、引き出された食品包装用ラップフィルムを長尺凸部５と長尺凹部４とで挟み込む。【選択図】図１
0003153741.tif 000002
【実用新案登録請求の範囲】
【請求項１】
食品包装用ラップフィルムを積層巻回した円筒状芯体を収納する収納箱であって、使用者が手に持って使用する食品包装用ラップフィルム収納箱において、
長手方向に沿った上面を開放端とした長尺四角柱状で中空の収納箱本体と、
前記収納箱本体の前面に設けられた凸部であって、略一定の幅を維持しつつ前記収納箱本体の長手方向に走る長尺凸部と、
前記収納箱本体の背壁に接続されて前記開放端を開閉する上蓋と、
前記上蓋に接続され、前記前面に対して外側から重ね合わせ状に配置可能な押さえ蓋と、
前記押さえ蓋の背面に設けられた凹部であって、前記長尺凸部と略同じ長さを有するとともに前記長尺凸部に嵌合する長尺凹部とを備え、
引き出された前記食品包装用ラップフィルムを前記長尺凸部と前記長尺凹部とで挟み込むことを特徴とする食品包装用ラップフィルム収納箱。
【請求項２】
前記収納箱本体の少なくとも一方の側壁に設けられ、上下方向に走るとともに上端が開放した切り込みと、
前記切り込みと前記円筒状芯体の端部とにそれぞれ着脱可能に係合するとともに、前記円筒状芯体の筒長方向の略中心軸を軸として回動自在に前記円筒状芯体を軸支する芯止め駒とを備えることを特徴とする請求項１に記載の食品包装用ラップフィルム収納箱。
【請求項３】
前記長尺凹部及び前記長尺凸部は、それぞれが前記収納箱本体の長手方向の略長さを有するとともに断面視略半円弧状からなることを特徴とする請求項１又は２に記載の食品包装用ラップフィルム収納箱。
【請求項４】
前記上蓋及び前記押さえ蓋の両端にそれぞれ設けられ、前記上蓋が前記開放端を閉鎖した際に、前記側壁に対して外側から対向配置される端蓋を備えることを特徴とする請求項１〜３のいずれかに記載の食品包装用ラップフィルム収納箱。
【請求項５】
耐湿素材よりなる請求項１〜４のいずれかに記載の食品包装用ラップフィルム収納箱。
【請求項６】
前記耐湿素材は、塩化ビニルよりなる請求項１〜５のいずれかに記載の食品包装用ラップフィルム収納箱。
【考案の詳細な説明】
【技術分野】
【０００１】
本考案は、食品を包装する食品包装用ラップフィルムを積層巻回した芯体を収納する食品包装用ラップフィルム収納箱に関するものである。
【背景技術】
【０００２】
従来、家庭のキッチン等においては、野菜や肉等の食品或いは料理が盛られた容器等を包装する際に食品包装用ラップフィルムが用いられる。この食品包装用ラップフィルムは、例えばポリエチレン製の薄膜で形成されある程度の伸縮性を持っており、円筒状の芯にロール条に巻き取られた態様で収納箱に収納される。そして、使用者は、例えば必要な長さだけ食品包装用ラップフィルムを引き出し、収納箱に設けられた切断歯で切断して使用する。
【０００３】
このような、食品包装用ラップフィルム収納箱に関して様々な提案がされている（たとえば特許文献１参照）。
【先行技術文献】
【特許文献】
【０００４】
【特許文献１】実開平３−３５３６号公報
【考案の概要】
【考案が解決しようとする課題】
【０００５】
特許文献１によれば、特許文献１の図４に示されるように、食品包装用の薄膜体を積層巻回した円筒状芯体（１４）を収納し、前記円筒状芯体を回転させつつ前記薄膜体を引き出すようにした食品包装薄膜体用ケース（１０）において、上面が開放端からなる直方体状の食品包装薄膜体用ケースと、食品包装薄膜体用ケースと一体に形成され前記開放端を覆う蓋（１０ａ）と、食品包装薄膜体用ケースの底面の長手方向に沿って設けられた切断プレート（１５）と備え、食品包装薄膜体用ケースの側面部に折曲げ部（１８）を形成し、折曲げ部（１８）が円筒状芯体の回転軸芯となるものが開示されている。
【０００６】
特許文献１の食品包装薄膜体用ケースを用いて薄膜体を切断する場合は、一方の手で食品包装薄膜体用ケースを把持し、他方の手で薄膜体を所望の長さ分引き出す。次に、一方の手で蓋（１０ａ）の先端部分を食品包装薄膜体用ケースの前面上側近傍に押しつけることで薄膜体の移動を規制する。そして、引き出された薄膜体を他方の手で伸張させつつ切断プレートに押し当てながら切断する。
【０００７】
その際、切断前は薄膜体には張力が働いて伸張されているが、切断後等は薄膜体の切断箇所が自由端となり、薄膜体の収縮によって前記円筒状芯体側に引っ張られて巻き戻される、すなわち逆戻りする虞がある。このように、薄膜体が前記円筒状芯体側に逆戻りすると、薄膜体の先端を前記円筒状芯体から剥がす作業が煩雑となるのは、日常的に経験することである。特に、特許文献１によれば、蓋の先端部分と前面上側近傍とが互いに略平坦な面どうしで薄膜体を挟持することで薄膜体の移動を規制するため、薄膜体を挟持する力が緩む等によって、引き出された薄膜体が逆戻りし易くなる虞があるという問題があった。
【０００８】
そこで、本考案は、上記従来の問題に鑑みてなされたものであり、その目的は、食品包装用ラップフィルムで食品等を包装する際に、食品包装用ラップフィルムが逆戻りし難い食品包装用ラップフィルム収納箱を提供することにある。
【課題を解決するための手段】
【０００９】
請求項１の考案は、食品包装用ラップフィルムを積層巻回した円筒状芯体を収納する収納箱であって、使用者が手に持って使用する食品包装用ラップフィルム収納箱において、長手方向に沿った上面を開放端とした長尺四角柱状で中空の収納箱本体と、前記収納箱本体の前面に設けられた凸部であって、略一定の幅を維持しつつ前記収納箱本体の長手方向に走る長尺凸部と、前記収納箱本体の背壁に接続されて前記開放端を開閉する上蓋と、前記上蓋に接続され、前記前面に対して外側から重ね合わせ状に配置可能な押さえ蓋と、前記押さえ蓋の背面に設けられた凹部であって、前記長尺凸部と略同じ長さを有するとともに前記長尺凸部に嵌合する長尺凹部とを備え、引き出された前記食品包装用ラップフィルムを前記長尺凸部と前記長尺凹部とで挟み込む、食品包装用ラップフィルム収納箱である。
【００１０】
請求項２の考案は、請求項１に記載の食品包装用ラップフィルム収納箱において、前記収納箱本体の少なくとも一方の側壁に設けられ、上下方向に走るとともに上端が開放した切り込みと、前記切り込みと前記円筒状芯体の端部とにそれぞれ着脱可能に係合するとともに、前記円筒状芯体の筒長方向の略中心軸を軸として回動自在に前記円筒状芯体を軸支する芯止め駒とを備えることを特徴とした。
【００１１】
請求項３の考案は、請求項１又は２に記載の食品包装用ラップフィルム収納箱において、前記長尺凹部及び前記長尺凸部は、それぞれが前記収納箱本体の長手方向の略長さを有するとともに断面視略半円弧状からなることを特徴とした。
【００１２】
請求項４の考案は、請求項１〜３のいずれかに記載の食品包装用ラップフィルム収納箱において、前記上蓋及び前記押さえ蓋の両端にそれぞれ設けられ、前記上蓋が前記開放端を閉鎖した際に、前記側壁に対して外側から対向配置される端蓋を備えることを特徴とした。
【００１３】
請求項５の考案は、請求項１〜４のいずれかに記載の食品包装用ラップフィルム収納箱において、耐湿素材よりなる食品包装用ラップフィルム収納箱である。
【００１４】
請求項６の考案は、請求項１〜５のいずれかに記載の食品包装用ラップフィルム収納箱において、前記耐湿素材は、塩化ビニルよりなる。
【考案の効果】
【００１５】
本考案によれば、食品包装用ラップフィルムを積層巻回した円筒状芯体を収納する収納箱であって、使用者が手に持って使用する食品包装用ラップフィルム収納箱において、長手方向に沿った上面を開放端とした長尺四角柱状で中空の収納箱本体と、前記収納箱本体の前面に設けられた凸部であって、略一定の幅を維持しつつ前記収納箱本体の長手方向に走る長尺凸部と、前記収納箱本体の背壁に接続されて前記開放端を開閉する上蓋と、前記上蓋に接続され、前記前面に対して外側から重ね合わせ状に配置可能な押さえ蓋と、前記押さえ蓋の背面に設けられた凹部であって、前記長尺凸部と略同じ長さを有するとともに前記長尺凸部に嵌合する長尺凹部とを備え、引き出された前記食品包装用ラップフィルムを前記長尺凸部と前記長尺凹部とで挟み込む構成であるから、例えば食品包装用ラップフィルムを切断後に薄膜体を挟持する力が緩んでも、長尺凸部と長尺凹部との間に挟み込まれた食品包装用ラップフィルムは逆戻りし難い。
【００１６】
また、前記収納箱本体の少なくとも一方の側壁に設けられ、上下方向に走るとともに上端が開放した切り込みと、前記切り込みと前記円筒状芯体の端部とにそれぞれ着脱可能に係合するとともに、前記円筒状芯体の筒長方向の略中心軸を軸として回動自在に前記円筒状芯体を軸支する芯止め駒とを備える構成であるから、例えば食品包装用ラップフィルムを使い切った場合に、円筒状芯体を芯止め駒と一緒に開放端から取り出し、食品包装用ラップフィルムが積層巻回された新たな円筒状芯体と容易に入れ替えることができる。このように、本考案によれば、食品包装用ラップフィルムを使い切った場合であっても、再利用可能な食品包装用ラップフィルム収納箱を提供することができる。
【００１７】
また、前記長尺凹部及び前記長尺凸部は、それぞれが前記収納箱本体の長手方向の略長さを有するとともに断面視略半円弧状からなる構成であるから、長尺凸部と長尺凹部とで食品包装用ラップフィルムを挟む際に長尺凸部と長尺凹部とを嵌合させやすいとともに、一旦嵌合させると、食品包装用ラップフィルムは幅全体に亘って押圧されて移動が規制されるので、さらに食品包装用ラップフィルムの逆戻りが起こり難い。
【００１８】
また、前記上蓋及び前記押さえ蓋の両端にそれぞれ設けられ、前記上蓋が前記開放端を閉鎖した際に、前記側壁に対して外側から対向配置される端蓋を備える構成であるから、上蓋並びに押さえ蓋の長手方向への移動が規制されるので、食品包装用ラップフィルムを切断する際の作業性が向上する。
【００１９】
また、食品包装用ラップフィルム収納箱は耐湿素材よりなる構成であるから、水に触れることがあっても型崩れし難く、実用性に優れた食品包装用ラップフィルム収納箱を提供することができる。
【図面の簡単な説明】
【００２０】
【図１】本考案の実施形態に係る食品包装用ラップフィルム収納箱の斜視説明図である。
【図２】本考案の実施形態に係る食品包装用ラップフィルム収納箱の正面図である。
【図３】本考案の実施形態に係る食品包装用ラップフィルム収納箱の右側面図である。
【図４】図２のＡ−Ａ´線断面図である。
【図５】本考案の実施形態に係る芯止め駒の左側面図である。
【図６】本考案の実施形態に係る芯止め駒の右側面図である。
【図７】本考案の実施形態に係る芯止め駒の装着状態を説明する要部平面図である。
【図８】本考案の実施形態に係る食品包装用ラップフィルム収納箱の内部構造の斜視説明図である。
【図９】本考案の実施形態に係る食品包装用ラップフィルム収納箱の実施例を説明する斜視図である。
【考案を実施するための形態】
【００２１】
以下、本考案の実施形態の一例について説明する。
本実施形態の食品包装用ラップフィルム収納箱１００は、野菜や肉、或いは料理が盛られた皿等（以下「食品等」という。）をラップする際に用いられる食品包装用ラップフィルムを積層巻回した円筒状芯体を収納する収納箱であり、使用者が手に持って使用可能なものである。
【００２２】
この食品包装用ラップフィルムＦは、例えばポリエチレン製の透明薄膜で形成され、紙製の円筒状芯体２４に積層巻回された状態で食品包装用ラップフィルム収納箱１００に収納される。そして、使用者は円筒状芯体２４を回転させつつ食品包装用ラップフィルムＦを必要な長さ分引き出すとともに、切断して使用する。
【００２３】
本実施形態の食品包装用ラップフィルム収納箱１００の全体構成について主に図１〜図４を用いて説明する。
図１〜図３に示すように、本実施形態の食品包装用ラップフィルム収納箱１００は、収納箱本体２０と、上蓋２と、押さえ蓋３と、芯止め駒９とを備える。
まず、本実施形態の収納箱本体２０は、図１〜図３に示すように、長尺四角柱状の中空の箱よりなる。より詳しくは、収納箱本体２０は、使用者が片手で持つことができるとともに食品包装用ラップフィルムＦを積層巻回した円筒状芯体２４を収納可能な大きさで、ある程度の肉厚を有する中空の箱で形成される。
そして、収納箱本体２０は、図１に示すように、長手方向に沿った上面を開放端２２としており、この開放端２２を介して食品包装用ラップフィルムＦの引き出しや、円筒状芯体２４の出し入れが可能な構成となっている。
【００２４】
また、収納箱本体２０は、図２、図３及び図４に示すように、その前面３２に長尺凸部５を設ける。本実施形態の長尺凸部５は、図２及び図４に示すように、前面３２の一部を膨出させてなり、収納箱本体２０の長手方向に平行な一本の凸部で形成される。具体的には、長尺凸部５の形状は、例えば断面視で略半円弧状に形成される（図４参照）とともに、収納箱本体２０の長手方向の略長さと収納箱本体の高さの略５分の１程度の幅を有する。このように、長尺凸部５は、略一定の幅を維持しつつ収納箱本体２０の長手方向に走る。そして、長尺凸部５は、図２及び図４に示すように、例えば収納箱本体２０の前面３２の上端よりやや下方近傍に設けられる。
【００２５】
次に、収納箱本体２０は、図１及び図３に示すように、上端が開放した切り込み１を備える。本実施形態の切り込み１は、例えば収納箱本体２０の側壁２６の高さの略３分の２程度の長さと前記側壁２６の上辺の略１０分の１程度の幅を有する間隙よりなる。そして、切り込み１は、図１及び図３に示すように、収納箱本体２０の一方の側壁２６に設けられ、側壁２６の上辺の略中央部で上下方向に走る。
【００２６】
なお、収納箱本体２０は、図４及び図８に示すように、円筒状芯体２４の一端側を軸支する芯止め１１を備える。この芯止め１１は、例えば円筒状芯体２４の筒穴に遊挿可能な程度の直径を有する円柱状の突起で形成される。そして、芯止め１１は、図４に示すように、収納箱本体２０の他方の側壁２７の内側の面の略中央に設けられる。円筒状芯体２４の軸支状態については後述する。
【００２７】
次に、上蓋２は、図２及び図３に示すように、例えば前記開放端２２を覆う程度の大きさの長方形状の薄板よりなる。そして、図２及び図４に示すように、上蓋２は、その一方の長辺を収納箱本体２０の背壁２８の上端３０に接続され、この上端３０を支点として上下方向（図４の矢印方向）に回動自在に構成される。このようにして、上蓋２は、開放端２２を開閉するのである。
【００２８】
次に、押さえ蓋３は、図１及び図４に示すように、例えば上蓋２と略同じ長さと略半分の幅を有する長方形状の薄板で形成される。なお、押さえ蓋３は、図１及び図２に示すように、その一方の長辺に沿って鋸状に形成された切断刃５０を備え、当該切断刃５０によって食品包装用ラップフィルムを切断可能な構成となっている。そして押さえ蓋３は、図４に示すように、上蓋２の板面に対して略直角となるように配置されるとともに、切断刃５０に対向する長辺を上蓋２の他方の長辺に接続される。従って、押さえ蓋３は、図４に示すように、上蓋２が開放端２２を閉鎖状態とした場合に、収納箱本体２０の前面３２に対して外側から重ねあわせ状に配置可能に設けられる。
【００２９】
また、押さえ蓋３は、図２及び図４に示すように、その背面に長尺凹部４を備える。本実施形態の長尺凹部４は、収納箱本体２０に略平行な一本の凹形状からなる。具体的には、長尺凹部４の形状は、例えば断面視で略半円弧状に形成されるとともに収納箱本体２０の長手方向の略長さと収納箱本体の高さの略５分の１程度の幅を有する。いいかえると、上述した長尺凸部５と長尺凹部４とは、嵌合可能な構成となっている。
【００３０】
なお、本実施形態の食品包装用ラップフィルム収納箱１００は、図１、図３及び図４に示すように、上蓋２及び押さえ蓋３の両端にそれぞれ設けられ、上蓋２が開放端２２を閉鎖した際に、収納箱本体２０のそれぞれの側壁に対して収納箱本体２０の外側から対向配置される端蓋４８を備える。
【００３１】
次に、本実施形態の芯止め駒９について、主に図５〜図８を用いて説明する。
芯止め駒９は、図５及び図６に示すように、基板４０と、軸支部４２と、係合部４４とを備える。
本実施形態の基板４０は、図５及び図７に示すように、例えば円筒状芯体２４の直径よりやや大きい直径で収納箱本体２０の肉厚と同じ程度の厚みを有する円板で形成される。
【００３２】
次に、軸支部４２は、図５及び図７に示すように、例えば円筒状芯体２４の筒穴に遊挿可能な程度の直径と円筒状芯体２４の先端部分に差し込むことができる程度の長さを有する円柱部材で形成される。そして、軸支部４２は、図５に示すように、基板４０の一方の面に基板４０と同心円状に固設される。
【００３３】
次に、係合部４４は、図６及び図７に示すように、例えば基板４０の直径と略同じ長さと、切り込み１の幅と略同じ幅と厚さを有する棒片で形成される。そして、係合部４４は、図７に示すように、その長さ方向の中央が基板４０の略中心を通過するように配置され基板４０の他方の面に設けられる。
【００３４】
以上のように形成される芯止め駒９は、図３及び図７に示すように、円筒状芯体２４の先端部分に軸支部４２が遊挿され、切り込み１に係合部４４が係合した状態で配置される。そして、円筒状芯体２４は、図８に示すように、その一端側を芯止め駒９で軸支され、他端側を芯止め１１で軸支された状態で食品包装用ラップフィルム収納箱１００に収納される。このように、芯止め駒９は、切り込み１と円筒状芯体２４の端部とにそれぞれ着脱可能に係合するとともに、円筒状芯体２４の筒長方向の略中心軸を軸として回動自在に円筒状芯体２４を軸支する構成となっているのである。
【００３５】
なお、本実施形態において食品包装用ラップフィルム収納箱１００は、例えば塩化ビニル等の耐湿素材よりなるため、水に触れることがあっても型崩れし難く、実用性に優れる。
【００３６】
以上のように構成される食品包装用ラップフィルム収納箱１００の使用例について主に図４、図８及び図９を用いて説明する。
まず、食品包装用ラップフィルムＦを積層巻回した円筒状芯体２４を、食品包装用ラップフィルム収納箱１００に収納する。その際、例えば芯止め駒９の軸支部４２を円筒状芯体２４の一端側に差込む。次に、円筒状芯体２４の他端側を芯止め１１に差込み、そして係合部４４を切り込み１に係合させる。このように収納することで、図８に示すように、円筒状芯体２４はその長手方向の略中心線を軸として回動自在に軸支される。
【００３７】
次に、図４に示すように、食品包装用ラップフィルムＦを必要な分引き出す。次に、例えば左手の親指で上蓋２を抑えつつ（図９参照）長尺凹部４を長尺凸部５に嵌合させ、長尺凹部４と長尺凸部５とで引き出された食品包装用ラップフィルムＦを挟み込む。
その際、長尺凸部５及び長尺凹部４の長さが略収納箱本体２０の長さとなっているため、長尺凸部５と長尺凹部４とで食品包装用ラップフィルムＦを挟み込んだ場合、食品包装用ラップフィルムＦの幅全体に亘って押圧されつつ挟持される。したがって、食品包装用ラップフィルムＦで食品等を包装するために食品包装用ラップフィルムＦを引き出す力引っ張る力が更に働いても、食品包装用ラップフィルムＦを引き出す力に充分抗することができるので、食品包装用ラップフィルムＦが余分に引き出されることもない。
このように、長尺凸部５を食品包装用ラップフィルムＦを受ける「フィルム受け」とし、長尺凹部４を食品包装用ラップフィルムＦを押える「フィルム押さえ」としているのである。
【００３８】
次に、図９に示すように、食品包装用ラップフィルムＦを挟持しつつ切断刃５０に沿って食品包装用ラップフィルムＦを切断する。
その際、例えば食品包装用ラップフィルムを切断後に薄膜体を挟持する力が緩んでも、長尺状の長尺凸部５と長尺状の長尺凹部４との嵌合状態が直ちにはずれることもなく、食品包装用ラップフィルムＦは長尺状の長尺凸部５と長尺状の長尺凹部４との間に挟み込まれた状態を維持するので、食品包装用ラップフィルムＦが逆戻りし難い。
【００３９】
そして、食品包装用ラップフィルムＦを使いきった場合は、芯止め駒９を切り込み１に沿って抜き取るようにすれば、食品包装用ラップフィルム収納箱１００から容易に円筒状芯体２４を取り出すことができる。したがって、消費者は、一旦食品包装用ラップフィルムＦ入りの食品包装用ラップフィルム収納箱１００を購入すれば、その食品包装用ラップフィルムＦを使いきった場合に、新たな食品包装用ラップフィルムＦが装着された円筒状芯体２４のみを購入して入れ替えれば済むので経済的な負担が軽減できる。
【００４０】
なお、本実施形態の食品包装用ラップフィルム収納箱１００は、側壁２７に芯止め１１を備えるが、芯止め１１に替えて、側壁２７にも切り込み１を設け、円筒状芯体２４の両端をそれぞれ芯止め駒９で軸支する構成であってもよい。
【００４１】
以上説明したように、本実施形態の食品包装用ラップフィルム収納箱１００によれば、食品包装用ラップフィルムＦで食品等を包装する際に、食品包装用ラップフィルムＦが逆戻りし難いとともに、食品包装用ラップフィルムＦを使い切った場合でも再利用可能な食品包装用ラップフィルム収納箱を提供することができる。
【００４２】
以上、本考案の実施形態のうちのいくつかを図面に基づいて詳細に説明したが、これらはあくまでも例示であり、当業者の知識に基づいて種々の変形、改良を施した他の形態で本考案を実施することが可能である。
【符号の説明】
【００４３】
１  切り込み
２  上蓋  
３  押さえ蓋  
４  長尺凹部
５  長尺凸部
９  芯止め駒
１１  芯止め
２０  収納箱本体
２２  開放端
２４  円筒状芯体
２６  側壁
２８  背壁
３２  前面
４８  端蓋
１００  食品包装用ラップフィルム収納箱
Ｆ  食品包装用ラップフィルム
【図１】
0003153741.tif 000003
【図２】
0003153741.tif 000004
【図３】
0003153741.tif 000005
【図４】
0003153741.tif 000006
【図５】
0003153741.tif 000007
【図６】
0003153741.tif 000008
【図７】
0003153741.tif 000009
【図８】
0003153741.tif 000010
【図９】
0003153741.tif 000011